(57)【要約】  より正確には、本発明は、構造フレーム（１１）であって、反対向きの弧を描く２つのストリンガを備え、一方のストリンガ（１１ａ）が上にあり、他方のストリンガ（１１ｂ）が下にある構造フレーム（１１）と、前輪（Ｒ１）と、後輪（Ｒ２）の支持プラットフォーム（３３）から、クランクセット（１４）によって駆動される後輪（Ｒ２）と、フォーク（Ｇ１）、ステアリングチューブ（２６）、及びハンドルバー（Ｇ２）によって形成されるステアリングボックスと、を備えるエリプティカル自転車（１０）において、エリプティカル自転車（１０）が、複数のヒンジを備え、より詳細には以下のように配置される、即ち、（ｉ）構造フレーム（１１）には、主ヒンジ（Ｄ１）及び主ヒンジ（Ｄ２）のセットが設けられており、ストリンガ（１１ａ）及びストリンガ（１１ａ’）の２つの部分からなるストリンガと、ストリンガ（１１ｂ）及びストリンガ（１１ｂ’）の２つの部分からなるストリンガとにそれぞれ適用され、ストリンガが、約１７０°までの角度で連結され、（ｉｉ）二次ヒンジ（Ｄ３）が、ハンドルバー（Ｇ２）の２つの部分からなるステアリングチューブ（２６）に適用され、ステアリングチューブ（２６）が、約１８０°までの角度で連結され、１セットの三次ヒンジ（Ｄ４）が、クランクセット（１４）とユーザの足下の支持プラットフォーム（３３）との間に適用され、クランクセット（１４）とユーザの足下の支持プラットフォーム（３３）とのそれぞれが、上向きに９０°の角度で連結される、ことを特徴とするエリプティカル自転車（１０）に言及する。
2020508249.tif 000002
【特許請求の範囲】
【請求項１】
構造フレーム（１１）であって、反対向きの弧を描く２つのストリンガを有し、一方のストリンガが上にあり、他方のストリンガが下にあり、前記ストリンガのそれぞれが、セグメント（１１ａ）及びセグメント（１１ａ’）、並びにセグメント（１１ｂ）及びセグメント（１１ｂ’）に分割されている構造フレーム（１１）と、前輪（Ｒ１）と、支持バー（３５）を含む前記支持プラットフォーム（３３）を有する、クランクセット（１４）によって駆動される後輪（Ｒ２）であって、前記支持バー（３５）は、前記支持バー（３５）の他端が、前記後輪（Ｒ２）の領域に配置された一対の両軸受（５０）に据え付けられている後輪（Ｒ２）と、を備える、「折り畳みエリプティカル自転車に取り入れられる改良点」、より正確にはエリプティカル自転車（１０）において、前記自転車が、フォーク（Ｇ１）、ステアリングチューブ（２６）、及びハンドルバー（Ｇ２）によって形成される管状セグメントをさらに含み、前記エリプティカル自転車（１０）が、複数のヒンジを備え、より詳細には以下のように配置される、即ち、（ｉ）前記構造フレーム（１１）には、主ヒンジ（Ｄ１）及び主ヒンジ（Ｄ２）のセットが設けられており、ストリンガ（１１ａ）及びストリンガ（１１ａ’）の２つの部分からなるストリンガと、ストリンガ（１１ｂ）及びストリンガ（１１ｂ’）の２つの部分からなるストリンガとにそれぞれ適用され、前記ストリンガが、約１７０°までの角度で連結され、（ｉｉ）二次ヒンジ（Ｄ３）が、前記ハンドルバー（Ｇ２）の２つの部分からなる前記ステアリングチューブ（２６）に適用され、前記ステアリングチューブ（２６）が、約１８０°までの角度で連結され、１セットの三次ヒンジ（Ｄ４）が、前記クランクセット（１４）と前記ユーザの足下の前記支持プラットフォーム（３３）との間に適用され、前記クランクセット（１４）とユーザの足下の前記支持プラットフォーム（３３）とのそれぞれが、上向きに９０°の角度で連結される、ことを特徴とする、「折り畳みエリプティカル自転車に取り入れられる改良点」、より正確にはエリプティカル自転車（１０）。
【請求項２】
前記ヒンジ（Ｄ１、Ｄ２、Ｄ３）及び（Ｄ４）が、前記ヒンジ（Ｄ１、Ｄ２、Ｄ３）及び（Ｄ４）の静止位置からヒンジで動かされた場合、前記エリプティカル自転車の体積が、使用中の前記エリプティカル自転車の体積の１／３にまで減少する、ことを特徴とする、請求項１に記載の「折り畳みエリプティカル自転車に取り入れられる改良点」。
【請求項３】
前記フレーム（１１）の前記主ヒンジ（Ｄ１）及び前記主ヒンジ（Ｄ２）のそれぞれが、形状及び大きさの等しい２つの四角形のプレート（Ｑ１）及びプレート（Ｑ２）を有し、前記プレート（Ｑ１）及び前記プレート（Ｑ２）が、閉じられている場合は、並置されたままになっており、四角形の前記プレート（Ｑ１）及び前記プレート（Ｑ２）の寸法が、管状の前記ストリンガ（１１ａ）及び前記ストリンガ（１１ｂ）の直径をわずかに超えており、管状の前記ストリンガ（１１ａ）及び前記ストリンガ（１１ｂ）が、各ストリンガの２つの部分からなる部位のそれぞれにおける一体成形の強化隔壁を構成するために、前記プレート（Ｑ１）及び前記プレート（Ｑ２）の外側面に一体化され、前記プレート（Ｑ１）及び前記プレート（Ｑ２）のそれぞれにおける縦側縁（１５ａ）及び縦側縁（１５ａ’）が、前記ピボットピン（１８）によって接合されており、他の縁部が自由に開閉して１７０°まで旋回し、前記プレート（Ｑ１）及び前記プレート（Ｑ２）のそれぞれにおける上縁（１５ｂ）及び上縁（１５ｂ’）並びに下縁（１５ｃ）及び下縁（１５ｃ’）が、半円凹部（１６）を有し、前記半円凹部（１６）が、前記プレート（Ｑ１）及び前記プレート（Ｑ２）が互いに並置された場合、ねじ山付き端部（２２’）及びハンドル（１９）を有するスピンドルから構成されるスタッド（２２）複合体の直径と直径が適合する同軸の孔を有し、前記上縁（１５ｂ）及び前記上縁（１５ｂ’）並びに前記下縁（１５ｃ）及び前記下縁（１５ｃ’）が、ロック（２１）及びロック（２１Ａ）によって固定され、前記ロック（２１）及び前記ロック（２１Ａ）が、前記ヒンジによる組立体を安定させる役割を果たし、前記ロック（２１）及び前記ロック（２１Ａ）のそれぞれが、中心孔（１７）を有し、前記中心孔（１７）が前記孔（１６）と一致した場合、前記中心孔（１７）により、前記ねじ山（２２’）が前記ナット（２０）に到達するまで前記スタッド（２２）を移動させることができ、前記スタッドが前記ナットに締結された場合、前記主ヒンジ（Ｄ１）及び前記主ヒンジ（Ｄ２）のそれぞれのロックが達成される、ことを特徴とする、請求項１に記載されており、かつ好ましい選択肢における「折り畳みエリプティカル自転車に取り入れられる改良点」。
【請求項４】
前記二次ヒンジ（Ｄ３）が、前記管状セグメント（１３）に据え付けられており、直径が前記ステアリングチューブ（２６）の直径よりもわずかに大きな中空のディスク（１６ａ）及びディスク（１６ｂ）の２つを備え、前記ディスク（１６ａ）及び前記ディスク（１６ｂ）が、片側はピボットピン（２５）によって接合されており、前記ディスク（１６ａ）及び前記ディスク（１６ｂ）のそれぞれにおける反対側が、中央の凹部（１６ｃ）をそれぞれ有し、前記ディスク（１６ａ）及び前記ディスク（１６ｂ）が、互いに接合され、かつ並置されている場合、前記孔（１６ｃ）が設けられた縁部が、中心孔（２８ａ）を有するロック（２８）を受け止め、前記中心孔（２８ａ）が前記凹部（１６ｃ）によって形成された前記孔に対して同軸に取り付けられた場合、前記中心孔（２８ａ）により、ナット（２９）及びロックナット（２９ａ）に作用する前記ハンドル（２７ａ）を有するねじ山付きピン（２７）が通ることが可能になり、前記ナット（２９）と前記ロックナット（２９ａ）との両方が、前記ディスク（１６ａ）及び前記ディスク（１６ｂ）の中空部分の内側に収容されている、ことを特徴とする、請求項１に記載されており、かつ好ましい選択肢における「折り畳みエリプティカル自転車に取り入れられる改良点」。
【請求項５】
前記三次ヒンジ（Ｄ４）が、前記クランクセット（１４）のロッド（３８）と前記支持プラットフォーム（３３）との間にそれぞれ設けられており、前記三次ヒンジ（Ｄ４）のそれぞれが、前記ロッド（３８）の回転軸線（Ｅ１）上に適切に取り付けられており、かつ短い円筒状のセグメント（３６）が横断方向に取り付けられた円形の軸受（３７）から基本的になり、前記取り付けが、前記軸受の上部において溶接又は他の手段によって行うことができ、前記円筒状のセグメント（３６）が、前記支持プラットフォーム（３３）の前記バー（３５）における筒端（３５ａ）によって係合され、続いて前記支持プラットフォームが、下面に据え付けられたアンチロックプラッタ（４０）及びアンチロックプラッタ（４０ａ）の少なくとも２つを有し、前記プラッタ（４０）が、前記筒端（３５ａ）の隣に取り付けられ、構造的強化部として作用し、前記バー（３５）の自由端が、一対の軸受（５０）に取り付けられ、前記クランクセット（１４）に対して、前記支持プラットフォーム（３３）から上向きに９０°旋回する自由回転が可能になる、ことを特徴とする、請求項１に記載されており、かつ好ましい選択肢における「折り畳みエリプティカル自転車に取り入れられる改良点」。
【発明の詳細な説明】
【技術分野】
【０００１】
本発明は、運動を実践するため、及び娯楽用に使用されるタイプの折り畳みエリプティカル自転車の改良点に関する。ここでは特に、このエリプティカル自転車は、革新的な構造的特徴を有しており、特に２つの部分からなるフレーム、ハンドルバー、及びペダルに設けられたロックのそれぞれを有する連結されたヒンジ点の予測を目的としている。これらのヒンジ点によりエリプティカル自転車の寸法を縮小することができ、その結果商業的団体とユーザとの両者が、エリプティカル自転車を保管及び運搬しやすくなる。
【背景技術】
【０００２】
広く知られているように、自転車を利用することにより、座りっぱなし及び病気が減少し、肥満しにくくなり、他の病気にもかかりにくくなる等のいくつかの利益がもたらされる。また、環境に優しく、従来の車両から発生する汚染ガスを減少させる代替的な運搬態様を生じさせる。
【０００３】
現在、特に、スピードバイク、マウンテンバイク、ハイブリッド自転車、ライド自転車、フロントサスペンションを有するレジャー向け自転車リム２６、リム２９等のいくつかのモデル式の自転車が存在する。これらの自転車は一般に、前部フォーク及び後部フォーク、車輪及びタイヤ、ラチェット、運動伝達機構、サドル、ハンドルバー、ブレーキ機構、並びにバスケット、チャイルドシート等の他の設備が据え付けた一体鋳造フレームを備える。
【０００４】
別の知られている自転車モデルは、「折り畳み式」のものである。折り畳み式は上記の部品をすべて有するが、より詳細には構造フレームが、２つの部分からなるストリンガを有する。ヒンジを確実に組み立てるために、ピボット軸線による組立体用の周辺カラーと、ピン、タブ、又は同様の形態である場合があるロック装置とを形成するように、ストリンガの接合端のそれぞれは直径方向の張り出しを有する。
【０００５】
これらの従来の折り畳み自転車にはいくつかの利点がある。主に都心で使用する場合、構造フレームの旋回によって自転車が小さくなることにより、車両のトランク、バス、電車、地下鉄等の公共交通機関等に持ち込んで運搬することが容易になる。
【０００６】
同様に、「エリプティカル」自転車はまた、通常の自転車について既に述べられた利益のすべてを促進すると共に、いくつかのさらなる利益を有することが知られている。即ち「エリプティカル」自転車は、ユーザによる自転車の使い方が、自転車を駆動する間、通常の自転車のように「座っている」わけではなく「立っている」というものであり、即ち、ユーザは、プラットフォームで足を支え、真っ直ぐに立ち、サドルを全く使用しないため、筋組織の互いに異なる部分の発達を助ける。即ち、このエリプティカル自転車は、１つが前にあり、かつ他の１つは後ろにある少なくとも２つの車輪を有する構造フレームを備え、ベルトによりラチェットと関連するクランクセットの駆動機構を含む。このクランクセットは、一対のプラットフォームによって駆動され、プラットフォームのそれぞれは、一端がクランクセットの１つの腕に取り付けられており、他端が後輪の近くでフレームの後部に配置されたそれぞれの支持部にヒンジ留めされている。したがって、各支持プラットフォームが上昇し下降するようにプラットフォームが交互に動くことにより、自転車の前方への移動が促される。
【０００７】
本出願人は、エリプティカル自転車機構及び同様の機構の開発者として当分野で活動しているが、ブラジル特許第１０２０１２０２８６９３号明細書の出願人である。ブラジル特許第１０２０１２０２８６９３号明細書は、駆動組立体により直立位置にあるサイクリストによって駆動され、かつこのために、ペダルのそれぞれをそれぞれのクランクセットの端部でペダルの前端によって旋回させる自転車に言及している。各ペダルは案内ロッドとつながっており、そして案内ロッドは、摺動支持部の後部組立体上に支持されている。この組立体は、フレームに水平に組み込まれた横断方向の管によって形成されており、その端部のそれぞれにおいて、チャネルが案内ロッドの断面を収めるような大きさにされたローラを受け止める。
【０００８】
同じ出願人のブラジル特許第１０．２０１３．０２５８４０−７号明細書は、自転車、三輪車、及びスクータとしてのエリプティカルベロシペードに言及している。これらは、基本部品、即ちフォーク、ハンドルバー支持部、前輪、後輪、中央クラウン、クランクセット、並びにエリプティカル駆動機構及びステアリング機構が組み立てられた管状のストリンガを有する。
【発明の概要】
【０００９】
この種のベロシペードが次第に一般的な車両になってきているため、エリプティカル自転車の他のモデルが市場で知られている。これらのモデルの「エリプティカル」自転車は多数の利益をユーザにもたらすが、その中には折り畳めるものがないことに留意されたい。即ち、足下の支持プラットフォームが細長く、フレームが通常の自転車とは差別化されているため、寸法を減少させることがいくぶんより複雑である。そのようなことは本発明により十分解決される。本発明は、保管及び運搬がより容易な「エリプティカル」な自転車を提供し、この移動可能モデルが広がる可能性が高まる。
【００１０】
最新技術の分析
専門のデータベースで実行される研究では、ブラジル特許第１１２０１３００５４１０７号明細書等の折り畳み自転車に関する文献が見受けられる。この文献は、ヒンジ留めされたフレームに言及しており、このフレームはヒンジ留めのために、フレーム部品の連結を可能にし、かつピボット軸線側に水平に逸らすことができることに加えて、締結したり、かつ緩めたりすることを可能にするレバーと同様のロック装置を有する。
【００１１】
別のモーリシャス特許第８６０００４４−６号明細書はまた、連結可能自転車に言及している。この自転車は、その連結されたフレームに加えてまた、ハンドルバーの連結も行う。そのためハンドルバーが第１の連結装置の後ろに配置され、したがってタイヤを平行にすることができる。
【００１２】
モーリシャス特許第８７０２６８７−２号明細書は、旋回装置を有する連結可能自転車に言及している。この自転車には、組立体を折り畳めるように、又は広げられるように協働する２つの別個のロックがある。さらにこの自転車はレバー及びピンを含み、レバー及びピンは部品を開く際に役立つ。このピンは特定の接合部を中心に回転する。
【００１３】
別の文献である国際公開第２０１２０３７７９８号パンフレットは、３点で連結可能な自転車に言及している。２点はそのフレームに設けられ、１点はそのハンドルバーに設けられており、連結部は垂直になっている。
【００１４】
韓国特許第１０１４６７１４５号公報及び中国特許第１０４２１０５９８号明細書は、その回転に役立つレバー及びピンを有する接合部を含む自転車に言及している。
【００１５】
別の文献である中国特許第２０４０５６１４５号明細書はレバーを説明しており、支持部として役立つ、フレームにおける第２の２つの部分からなる部品を伴うある種のロッドもまた有する。
【００１６】
ＰＩ０３１７５１５−４及び独国特許第２０２００７００８３９５号明細書は、クランクセットに垂直に固定された状態で連結するペダルを提示している。
【００１７】
これらの文献は、別々のタイプの嵌合部及び接合部を有する折り畳み自転車を提示しているが、このような自転車及び機構は、特に拡張された支持プラットフォームにおける点及び連結装置に関して、並びに「エリプティカル」自転車の寸法を大幅に減少させることができる連結についての他の点に関して、革新的な「エリプティカル」自転車において実践されるものとは異なる。
【００１８】
折り畳みエリプティカル自転車に取り入れられる改良点は、ユーザが折り畳みエリプティカル自転車を快適に運搬し、容易に保管できるようにするために開発されている。エリプティカル自転車における革新は、構造フレームにおける約１７０°までの角度でフレームを連結することを可能にする１セットのヒンジと、約１８０°までの角度で連結することを可能にするハンドルバーの支持チューブに設けられるヒンジと、上向きに９０°の角度で連結することを可能にする、クランクセットと足下の支持プラットフォームとの間に設けられる１セットのヒンジとを提供し、これらのヒンジが十分に連結された場合、これらのヒンジにより、エリプティカル自転車の大きさを実質的に減少させるためにエリプティカル自転車が確実に折り畳まれ、保管及び運搬がしやすくなり、これによりユーザが自由に移動することができ、自転車を使用し、かつそれほど大きな空間をとることなく自転車をバス及び地下鉄に持ち運ぶことができることにある。
【００１９】
別の利点は、実際の市場における他の既存の製品は、そのエリプティカル駆動システムが原因でエリプティカル運動を生じさせるために必要な構造的方法の観点から折り畳めないため、折り畳めるものがないことにある。
【００２０】
本発明の特徴をよりよく理解するために本明細書に補足して、本発明の好ましい実践的な実施形態により、本明細書は、添付の図面のセットを提示する。ここでは例として非限定的ではあるが、本発明の操作が示された。
【図面の簡単な説明】
【００２１】
【図１】図１は、すべての旋回点を示す、使用位置にある折り畳みエリプティカル自転車の組み立てられた状態の斜視図である。
【図２】図２は、２つの部分からなるフレームに設けられた主ヒンジに関する、前の図に示される図「Ａ」を拡大した詳細な図である。
【図２Ａ】図２Ａは、主ヒンジの分解図である。
【図２Ｂ】図２Ｂは、開いた状態の主ヒンジの図である。
【図２Ｃ】図２Ｃは、主ヒンジの断面図Ａ．Ａである。
【図３】図３は、管状セグメントに設けられた二次ヒンジを示す、図１に示される図「Ｂ」を拡大した詳細な図である。
【図３Ａ】図３Ａは、二次ヒンジの分解図である。
【図３Ｂ】図３Ｂは、縮小する二次ヒンジの図である。
【図３Ｃ】図３Ｃは、二次ヒンジの断面Ｂ．Ｂを示す図である。
【図４】図４は、支持プラットフォームに設けられた三次ヒンジを示す、図１に示される図「Ｃ」を拡大した詳細な図である。
【図４Ａ】図４Ａは、支持プラットフォーム及び三次ヒンジ装置が組み立てられた状態の図である。
【図４Ｂ】図４Ｂは、支持プラットフォーム及び三次ヒンジ装置の分解図である。
【図４Ｃ】図４Ｂは、三次ヒンジの断面図Ｃ．Ｃである。
【図４Ｄ】図４Ｄは、同じ断面図Ｃ．Ｃを示すが、９０°にヒンジ留めされた状態の図である。
【図５】図５は、縮小位置にある自転車の斜視図である。
【図６】図６は、すべてのヒンジが旋回した状態を示す、縮小位置にある自転車の斜視図である。
【図６Ａ】図６Ａは、縮小位置にある自転車の前面図である。
【図６Ｂ】図６Ｂは、縮小位置にある自転車の上面図である。
【図６Ｃ】図６Ｃは、拡張された自転車の側面図である。
【図６Ｄ】図６は、縮小された自転車の側面図である。
【発明を実施するための形態】
【００２２】
図示された図面を参照し、本発明は、「折り畳みエリプティカル自転車に取り入れられる改良点」に関する。より正確には、本発明は、構造フレーム（１１）であって、反対向きの弧を描く２つのストリンガを備え、一方のストリンガが上にあり、他方のストリンガが下にあり、ストリンガのそれぞれが、セグメント（１１ａ）及びセグメント（１１ａ’）、並びにセグメント（１１ｂ）及びセグメント（１１ｂ’）の２つの部分からなる構造フレーム（１１）を備え、これらのセグメントの接合部が、主ヒンジ（Ｄ１）及び主ヒンジ（Ｄ２）により１７０°で連結されてそれぞれ接合されるエリプティカル自転車（１０）に言及している。このフレーム（１１）は、フレーム（１１）の前部が管状セグメント（１３）に結合しており、管状セグメント（１３）は、前輪（Ｒ１）のフォーク支持部（Ｇ１）、及びハンドルバー（Ｇ２）のステアリングチューブ（２６）の役割を果たす。このようなステアリングチューブ（２６）は、２つの部分からなり、二次ヒンジ（Ｄ３）によって接合され、１８０°に連結される。フレーム（１１）の他端は、クランクセット（１４）における管状セグメント（３５）の軸受に接合し、管状セグメント（３５）は続いて、ロッド（３８）のそれぞれを介して、それぞれの三次ヒンジ（Ｄ４）を有する。三次ヒンジ（Ｄ４）は、支持プラットフォーム（３３）のバー（３５）を９０°の角度で連結する役割を果たす。支持バー（３５）では、支持バー（３５）の他端が、後輪（Ｒ２）の領域に配置された一対の両軸受（５０）に据え付けられている。
【００２３】
ヒンジ（Ｄ１）、ヒンジ（Ｄ２）、ヒンジ（Ｄ３）、及びヒンジ（Ｄ４）により、分解された場合、エリプティカル自転車をその体積を１／３にまで減少させることができる。
【００２４】
フレーム（１１）（図２参照）における主ヒンジ（Ｄ１）及び主ヒンジ（Ｄ２）のそれぞれが、形状及び大きさの等しい２つの四角形のプレート（Ｑ１）及びプレート（Ｑ２）を備え、プレート（Ｑ１）及びプレート（Ｑ２）が、閉じられている場合は、並置されたままになっており、四角形のプレート（Ｑ１）及びプレート（Ｑ２）の寸法が、管状のストリンガ（１１ａ）及びストリンガ（１１ａ’）並びに管状のストリンガ（１１ｂ）及びストリンガ（１１ｂ’）の直径をわずかに超えており、続いてこれらの管状のストリンガが、各ストリンガの２つの部分からなる部位のそれぞれにおける一体成形の強化隔壁を構成するために、プレート（Ｑ１）及びプレート（Ｑ２）の外側面に一体化されている。プレート（Ｑ１）及びプレート（Ｑ２）のそれぞれの縦側縁（１５ａ）及び縦側縁（１５ａ’）が、ピボットピン（１８）によって接合されており、一方で他の縁部が自由に開閉して１７０°まで旋回する。プレート（Ｑ１）及びプレート（Ｑ２）のそれぞれにおける上縁（１５ｂ）及び上縁（１５ｂ’）並びに下縁（１５ｃ）及び下縁（１５ｃ’）が、半円凹部（１６）を有し、半円凹部（１６）が、プレート（Ｑ１）及びプレート（Ｑ２）が互いに並置された場合、ねじ山付き端部（２２’）及びハンドル（１９）を有するスピンドルから構成されるスタッド（２２）の直径と直径が適合する同軸の孔を有する。上縁（１５ｂ’）及び上縁（１５ｂ’）並びに下縁（１５ｃ’）及び下縁（１５ｃ’）が、ロック（２１）及びロック（２１Ａ）によって固定され、ヒンジ組立体を安定させる役割を果たす。ロック（２１）及びロック（２１Ａ）のそれぞれが、中心孔（１７）を有し、中心孔（１７）が孔（１６）と一致した場合、中心孔（１７）により、ねじ山（２２’）がナット（２０）に到達するまでスタッド（２２）を通すことができ、準備位置、即ち自転車を使用する用意ができている位置にフレーム（１１）を保つためにスタッドをナットに締結した場合、主ヒンジ（Ｄ１）及び主ヒンジ（Ｄ２）のそれぞれのロックが達成される。自転車のフレーム（１１）がヒンジで動かされる必要がある場合、スタッド（２２）が、各ロックをわずかに緩めて、ピン（１８）におけるプレート（Ｑ１）及びプレート（Ｑ２）のヒンジを解除するように、ナット（２０）に対して緩められる。
【００２５】
管状セグメント（１３）に据え付けられた二次ヒンジ（Ｄ３）（図３、図３Ａ、図３Ｂ、及び図３Ｃ参照）は、主ヒンジ（Ｄ１）及び主ヒンジ（Ｄ２）と同様の機能を有し、続いて２つの中空のディスク（１６ａ）及びディスク（１６ｂ）を備え、直径がステアリングチューブ（２６）の直径よりわずかに大きく、ディスク（１６ａ）及びディスク（１６ｂ）が、片側はピボットピン（２５）によって接合されており、一方でディスク（１６ａ）及びディスク（１６ｂ）のそれぞれにおける反対側が、中央の凹部（１６ｃ）をそれぞれ有する。ディスク（１６ａ）及びディスク（１６ｂ）が、互いに接合され、かつ並置されている場合、孔（１６ｃ）が設けられた縁部が、中心孔（２８ａ）を有するロック（２８）を受け止め、中心孔（２８ａ）が凹部（１６ｃ）によって形成された孔に対して同軸に取り付けられた場合、中心孔（２８ａ）により、ナット（２９）及びロックナット（２９ａ）に作用するハンドル（２７ａ）を有するねじ山付きピン（２７）が通ることが可能になり、ナット（２９）とロックナット（２９ａ）との両方が、ディスク（１６ａ）及びディスク（１６ｂ）の中空部分の内側に収容されている。
【００２６】
ナット及びロックナットに対してねじ山付きピン（２７）を締結する際、ロック（２８）は、ディスク（１６ａ）及びディスク（１６ｂ）を並置されておくためにしっかりとロックされ、一方で自転車を使用する用意ができている状態のステアリングチューブ（２６）の直線的な並びは維持される。ステアリングチューブ（２６）がヒンジで動かされる必要がある場合、ねじ山付きピン（２７）が、ロックナット（２９ａ）に対してナット（２９）をわずかに緩め、これによりロック（２８）を緩めるために、ハンドル（２７ａ）によって緩められる。これにより、フレーム（１１）が十分に折り畳まれた状態で車輪（Ｒ１）及び車輪Ｒ２）に近い自転車の側にハンドル（Ｇ２）を配置することができるように、１８０°までヒンジにおけるディスク（１６ａ）及びディスク（１６ｂ）の連結を解除する。
【００２７】
三次ヒンジ（Ｄ４）（図４〜図４Ｄ参照）は、クランクセット（１４）のロッド（３８）と支持プラットフォーム（３３）との間にそれぞれ適用され、各ヒンジ（Ｄ４）は、ロッド（３８）の回転軸線（Ｅ１）上に適切に取り付けられており、かつ短い円筒状のセグメント（３６）が横断方向に取り付けられた円形の軸受（３７）からなり、取り付けが、軸受の上部において溶接又は他の手段によって行うことができる。円筒状のセグメント（３６）が、支持プラットフォーム（３３）のバー（３５）における筒端（３５ａ）によって係合され、続いて支持プラットフォームが、下面に据え付けられたアンチロックプラッタ（４０）及びアンチロックプラッタ（４０ａ）（図６参照）の少なくとも２つを有し、プラッタ（４０）が、筒端（３５ａ）の隣に取り付けられ、構造的強化部として作用する。バー（３５）の自由端が、説明されてもいるように、一対の軸受（５０）に取り付けられ、クランクセット（１４）に対して、支持プラットフォーム（３３）から上向きに９０°旋回する自由回転が可能になり、エリプティカル自転車の幅を空間的に減少させることができる。
【００２８】
ヒンジ（Ｄ１）、ヒンジ（Ｄ２）、ヒンジ（Ｄ３）、及びヒンジ（Ｄ４）によりすべての接合部を関連し、エリプティカル自転車（１０）の寸法が縮小される。
【００２９】
もちろん、本発明が実践される場合、特許請求の範囲の文脈において明白に具体化される基本的原理から逸脱することなく、特定の詳細な構成及び形状に対して修正がなされ得る。また用いられる用語は、本発明を限定することを意図するものではないと理解されるべきである。
【図１】
2020508249.tif 000003
【図２】
2020508249.tif 000004
【図２Ａ】
2020508249.tif 000005
【図２Ｂ】
2020508249.tif 000006
【図２Ｃ】
2020508249.tif 000007
【図３】
2020508249.tif 000008
【図３Ａ】
2020508249.tif 000009
【図３Ｂ】
2020508249.tif 000010
【図３Ｃ】
2020508249.tif 000011
【図４】
2020508249.tif 000012
【図４Ａ】
2020508249.tif 000013
【図４Ｂ】
2020508249.tif 000014
【図４Ｃ】
2020508249.tif 000015
【図４Ｄ】
2020508249.tif 000016
【図５】
2020508249.tif 000017
【図６】
2020508249.tif 000018
【図６Ａ】
2020508249.tif 000019
【図６Ｂ】
2020508249.tif 000020
【図６Ｃ】
2020508249.tif 000021
【図６Ｄ】
2020508249.tif 000022
【国際調査報告】
2020508249.tif 000023
2020508249.tif 000024
2020508249.tif 000025
2020508249.tif 000026
2020508249.tif 000027
2020508249.tif 000028